(57)【特許請求の範囲】
【請求項１】
周期的なポーリングに基づいて、中央装置と端末装置との間のデータ伝送を行う方法であって、
前記中央装置は、前記端末装置に対し、予め定めた一定の間隔で周期的ポーリングを行うステップを備え、
前記端末装置は、
前記中央装置から送信されるポーリングを受信するステップと、
ポーリングを受信するごとに計数値をリセットするとともに、当該受信した時点から予め定めたポーリング周期の計数を開始するステップと、
前記計数を開始するステップに追動して、前記ポーリング周期のタイミングを計数開始からＮ周期（Ｎは、正の整数）までカウントするステップと、
前記中央装置から前記周期的ポーリングが受信されるべきタイミングにポーリングを受信した場合、当該受信したポーリングのタイミングに従って、前記中央装置へ一定量のデータを送信するステップと、
前記中央装置から前記周期的ポーリングが受信されるべきタイミングにポーリングを受信できなかった場合、前記計数したポーリング周期のタイミングに従って、最大前記Ｎ周期の間継続して前記中央装置へ一定量のデータを送信するステップとを備え、
前記中央装置は、
前記周期的ポーリングを行って要求した所望のデータを所定の時間までに受信できない場合、当該所望のデータの再送を要求する再送ポーリングを行うステップと、
前記再送ポーリングを行うにあたり、前記周期的ポーリングと前記再送ポーリングとの判別が可能な情報ビットを、予め定めた制御領域に格納するステップとをさらに備え、
前記端末装置は、
受信したポーリングの前記制御領域に格納された前記情報ビットを判別するステップと、
受信したポーリングの前記情報ビットが再送であることを示している場合には、前記計数を開始するステップにおいて、前記計数値をリセットせずに計数を継続するとともに、当該ポーリングのタイミングに従って、前記中央装置へ要求されるデータを送信するステップとをさらに備える、データ伝送方法。
【請求項２】
周期的なポーリングに基づいて、中央装置と端末装置との間のデータ伝送を、少なくとも１つ以上の中継装置を介して行う方法であって、
前記中央装置は、前記端末装置に対し、前記中継装置を介して予め定めた一定の間隔で周期的ポーリングを行うステップを備え、
前記端末装置は、
前記中央装置から前記中継装置を介して送信されるポーリングを受信するステップと、
ポーリングを受信するごとに計数値をリセットするとともに、当該受信した時点から予め定めたポーリング周期の計数を開始するステップと、
前記計数を開始するステップに追動して、前記ポーリング周期のタイミングを計数開始からＮ周期（Ｎは、正の整数）までカウントするステップと、
前記中央装置から前記周期的ポーリングが前記中継装置を介して受信されるべきタイミングにポーリングを受信した場合、当該受信したポーリングのタイミングに従って、前記中継装置を介して前記中央装置へ一定量のデータを送信するステップと、
前記中央装置から前記周期的ポーリングが前記中継装置を介して受信されるべきタイミングにポーリングを受信できなかった場合、前記計数したポーリング周期のタイミングに従って、前記中継装置を介して最大前記Ｎ周期の間継続して前記中央装置へ一定量のデータを送信するステップとを備え、
前記中央装置は、
前記周期的ポーリングを行って要求した所望のデータを所定の時間までに受信できない場合、当該所望のデータの再送を要求する再送ポーリングを行うステップと、
前記再送ポーリングを行うにあたり、前記周期的ポーリングと前記再送ポーリングとの判別が可能な情報ビットを、予め定めた制御領域に格納するステップとをさらに備え、
前記端末装置は、
受信したポーリングの前記制御領域に格納された前記情報ビットを判別するステップと、
受信したポーリングの前記情報ビットが再送であることを示している場合には、前記計数を開始するステップにおいて、前記計数値をリセットせずに計数を継続するとともに、当該ポーリングのタイミングに従って、前記中継装置を介して前記中央装置へ要求されるデータを送信するステップとをさらに備える、データ伝送方法。
【請求項３】
周期的なポーリングに基づいて、中央装置と端末装置との間のデータ伝送を、少なくとも１つ以上の中継装置を介して行う方法であって、
前記中央装置は、前記端末装置に対し、前記中継装置を介して予め定めた一定の間隔で周期的ポーリングを行うステップを備え、
前記端末装置は、
前記中央装置から前記中継装置を介して送信されるポーリングを受信するステップと、
ポーリングを受信するごとに計数値をリセットするとともに、当該受信した時点から予め定めたポーリング周期の計数を開始するステップと、
前記計数を開始するステップに追動して、前記ポーリング周期のタイミングを計数開始からＮ周期（Ｎは、正の整数）までカウントするステップと、
前記中央装置から前記周期的ポーリングが前記中継装置を介して受信されるべきタイミングにポーリングを受信した場合、当該受信したポーリングのタイミングに従って、前記中継装置を介して前記中央装置へ一定量のデータを送信するステップと、
前記中央装置から前記周期的ポーリングが前記中継装置を介して受信されるべきタイミングにポーリングを受信できなかった場合、前記計数したポーリング周期のタイミングに従って、前記中継装置を介して最大前記Ｎ周期の間継続して前記中央装置へ一定量のデータを送信するステップとを備え、
前記中央装置において、
前記周期的ポーリングにより要求した所望のデータを所定の時間までに受信できない場合の再送要求、または当該再送要求により要求した所望のデータを所定の時間までに受信できない場合の再送要求、あるいは他の前記端末装置に対するポーリングを、
前記周期的ポーリングまたは前記再送ポーリングのフレームのデータ量をＤｐ、当該ポーリングに対応して返送するフレームのデータ量をＤｄ、フレーム伝送速度をＶ、前記端末装置の応答時間をＧｒｅ、前記端末装置で持たせる時間のマージンをα、前記中央装置で持たせる時間のマージンをβ、前記中継装置における上りの中継時間および下りの中継時間をそれぞれＧｒｏ１，Ｇｒｏ２、前記中継装置の中継段数をＮｒとした場合、
Ｔｏ＝（Ｄｐ＋Ｄｄ）／Ｖ×（Ｎｒ＋１）＋（Ｇｒｏ１＋Ｇｒｏ２）×Ｎｒ
＋Ｇｒｅ＋α＋β
で求まるタイムアウト時間Ｔｏの経過時と前記所望のデータの受信完了時とのいずれか早いタイミングで行うことを特徴とする、データ伝送方法。
【請求項４】
前記Ｎ周期までカウントするステップにおけるＮの値は、前記中央装置がポーリングを送信するごとに与えることを特徴とする、請求項１に記載のデータ伝送方法。
【請求項５】
前記中継装置において、
前記中央装置または前記端末装置から宛先アドレスが自局装置宛である無線フレームを受信し、当該宛先アドレスを前記端末装置または前記中央装置宛のアドレスに変更したフレームを、半二重通信方式において中継送信する場合、
前記中央装置または前記端末装置から送信される無線フレームの受信を終了してから前記端末装置または前記中央装置への無線フレームの送信を開始するまでの中継時間を、所定の時間以内とすることを特徴とする、請求項２または３に記載のデータ伝送方法。
【請求項６】
前記中央装置において、
前記周期的ポーリングにより要求した所望のデータを所定の時間までに受信できない場合の再送要求、または当該再送要求により要求した所望のデータを所定の時間までに受信できない場合の再送要求、あるいは他の前記端末装置に対するポーリングを、
前記周期的ポーリングまたは前記再送ポーリングのフレームのデータ量をＤｐ、当該ポーリングに対応して返送するフレームのデータ量をＤｄ、フレーム伝送速度をＶ、前記端末装置の応答時間をＧｒｅ、前記端末装置で持たせる時間のマージンをα、前記中央装置で持たせる時間のマージンをβ、前記中継装置における上りの中継時間および下りの中継時間をそれぞれＧｒｏ１，Ｇｒｏ２、前記中継装置の中継段数をＮｒとした場合、
Ｔｏ＝（Ｄｐ＋Ｄｄ）／Ｖ×（Ｎｒ＋１）＋（Ｇｒｏ１＋Ｇｒｏ２）×Ｎｒ
＋Ｇｒｅ＋α＋β
で求まるタイムアウト時間Ｔｏの経過時と前記所望のデータの受信完了時とのいずれか早いタイミングで行うことを特徴とする、請求項２に記載のデータ伝送方法。
【請求項７】
周期的なポーリングに基づいて、中央装置と端末装置との間のデータ伝送を行うシステムであって、
前記中央装置は、
前記端末装置に対し、予め定めた一定の間隔で周期的ポーリングを行う送信手段と、
前記端末装置から送信されるデータを受信する受信手段とを備え、
前記端末装置は、
前記中央装置から送信されるポーリングを受信する受信手段と、
前記受信手段がポーリングを受信するごとに計数値をリセットするとともに、当該受信した時点から予め定めたポーリング周期の計数を開始するポーリング周期計数手段と、
前記ポーリング周期計数手段における前記ポーリング周期のタイミングを計数開始からＮ周期（Ｎは、正の整数）までカウントするカウント手段と、
前記受信手段が、前記中央装置から前記周期的ポーリングを受信すべきタイミングに、ポーリングを受信した場合は前記受信手段の制御に従い、ポーリングを受信できなかった場合は前記ポーリング周期計数手段の制御に従って前記ポーリング周期のタイミングごとに最大前記Ｎ周期の間継続して、前記中央装置へ一定量のデータを送信する送信手段とを備え、
前記中央装置において、
前記送信手段は、前記周期的ポーリングを行って要求した所望のデータを所定の時間までに受信できない場合、当該所望のデータの再送を要求する再送ポーリングをさらに行うとともに、当該再送ポーリングを行うにあたり、前記周期的ポーリングと当該再送ポーリングとの判別が可能な情報ビットを予め定めた制御領域に格納し、
前記端末装置において、
前記受信手段は、受信したポーリングの前記情報ビットを判別し、当該情報ビットが再送であることを示している場合には、前記ポーリング周期計数手段での前記計数値をリセットせずに計数を継続するとともに、前記送信手段の制御を行うことを特徴とする、データ伝送システム。
【請求項８】
周期的なポーリングに基づいて、中央装置と端末装置との間のデータ伝送を、少なくとも１つ以上の中継装置を介して行うシステムであって、
前記中央装置は、
前記端末装置に対し、前記中継装置を介して予め定めた一定の間隔で周期的ポーリングを行う送信手段と、
前記端末装置から前記中継装置を介して送信されるデータを受信する受信手段とを備え、
前記端末装置は、
前記中央装置から前記中継装置を介して送信されるポーリングを受信する受信手段と、
前記受信手段がポーリングを受信するごとに計数値をリセットするとともに、当該受信した時点から予め定めたポーリング周期の計数を開始するポーリング周期計数手段と、
前記ポーリング周期計数手段における前記ポーリング周期のタイミングを計数開始からＮ周期（Ｎは、正の整数）までカウントするカウント手段と、
前記受信手段が、前記中継装置を介して前記中央装置から前記周期的ポーリングを受信すべきタイミングに、ポーリングを受信した場合は前記受信手段の制御に従い、ポーリングを受信できなかった場合は前記ポーリング周期計数手段の制御に従って前記ポーリング周期のタイミングごとに最大前記Ｎ周期の間継続して、前記中継装置を介して前記中央装置へ一定量のデータを送信する送信手段とを備え、
前記中央装置において、
前記送信手段は、前記周期的ポーリングを行って要求した所望のデータを所定の時間までに受信できない場合、当該所望のデータの再送を要求する再送ポーリングをさらに行うとともに、当該再送ポーリングを行うにあたり、前記周期的ポーリングと当該再送ポーリングとの判別が可能な情報ビットを予め定めた制御領域に格納し、
前記端末装置において、
前記受信手段は、受信したポーリングの前記情報ビットを判別し、当該情報ビットが再送であることを示している場合には、前記ポーリング周期計数手段での前記計数値をリセットせずに計数を継続するとともに、前記送信手段の制御を行うことを特徴とする、データ伝送システム。
【請求項９】
周期的なポーリングに基づいて、中央装置との間のデータ伝送を行う端末装置であって、
前記中央装置から直接送信される、または中継装置を介して送信されるポーリングを受信する受信手段と、
前記受信手段がポーリングを受信するごとに計数値をリセットするとともに、当該受信した時点から予め定めたポーリング周期の計数を開始するポーリング周期計数手段と、
前記ポーリング周期計数手段における前記ポーリング周期のタイミングを計数開始からＮ周期（Ｎは、正の整数）までカウントするカウント手段と、
前記受信手段が前記中央装置から周期的なポーリングを受信すべきタイミングに、ポーリングを受信した場合は前記受信手段の制御に従い、ポーリングを受信できなかった場合は前記ポーリング周期計数手段の制御に従って前記ポーリング周期のタイミングごとに最大前記Ｎ周期の間継続して、前記中央装置へ一定量のデータを送信する送信手段とを備え、
前記中央装置から送信されるポーリングの制御領域に、当該ポーリングが周期的ポーリングか、データの再送を要求する再送ポーリングかを表す情報ビットを格納している場合、
前記受信手段は、受信したポーリングの前記情報ビットを判別し、当該情報ビットが再送であることを示している場合には、前記ポーリング周期計数手段での前記計数値をリセットせずに計数を継続するとともに、前記送信手段の制御を行うことを特徴とする、端末装置。
【発明の詳細な説明】
【０００１】
【発明の属する技術分野】
本発明は、データ伝送方法およびデータ伝送システム並びに当該システムに用いる装置に関し、より特定的には、ＬＡＮ等のメディアアクセス制御、データリンク層、ネットワーク層において、無線信号を伝送媒体としてデジタル化された音声や映像（ビデオ）等のアイソクロナスデータに対して特に有用なデータ伝送方法およびシステム並びに装置に関する。
【０００２】
【従来の技術】
従来から、無線信号を伝送媒体としてデジタル化された音声や映像等のアイソクロナスデータ（等時性データ）の伝送を実現するネットワークとして、ミリ波無線ＡＴＭ  ＬＡＮに関するデータ伝送技術が提案されている（信学技法ＲＣＳ９７−２０７，１９９８年１月）。
以下、この従来のミリ波無線ＡＴＭ  ＬＡＮを簡単に説明する。
【０００３】
図１１は、上記従来のミリ波無線ＡＴＭ  ＬＡＮの構成を示す図である。図１１において、ＡＰ（ＡＰ１〜ＡＰ３）は、アクセスポイントであり、親機や中央局の役割を果たしている。ＳＴＡは、端末装置である。
ＳＴＡは、いずれかのＡＰの管理下に置かれ、ＳＴＡ同士で通信を行う場合には、必ずいずれかのＡＰを介して行われる。また、ＡＰは、ＡＴＭ等の有線ネットワークにつながっており、有線の装置または有線ネットワークでつながれた別のＡＰが管理するＳＴＡとの通信も想定している。
【０００４】
ＡＰは、ミリ波（例えば、６０ＧＨｚ帯）を無線媒体として通信可能なエリア内のＳＴＡおよび無線資源を管理しており、管理下にあるＳＴＡからのアクセス要求をヒヤリングして無線資源の配分を行う。この無線資源の配分は、特に音声や映像等のアイソクロナスデータに対しては、無線資源に余裕を見て所定の時間内に伝送が終了するように優先的に割り当て、遅延の許されるアシンクロナスデータに対しては、当該アイソクロナスデータの伝送が終了した残りの時間を割り当てるように行う。ここで、ＡＰは、アイソクロナスデータの配分をしたＳＴＡに対して、自らが算出した周期でポーリングを行い、データの送信を許可する。ポーリングされたＳＴＡは、ＡＰに対してデータフレームを送信する。ここで、ＡＰは、ＳＴＡから受信したデータフレームのネットワークアドレスが他のＳＴＡ宛の場合、当該他のＳＴＡが自己の管理下にいれば、当該他のＳＴＡ宛にそのデータフレームを送信し、有線ネットワークの先にいる場合には、有線ネットワークへそのデータフレームを送信する。
【０００５】
図１２は、図１１の任意のＳＴＡ（送信ＳＴＡ）がＡＰを介して他のＳＴＡ（受信ＳＴＡ）にアイソクロナスデータを伝送する際のシーケンスを示す図である。図１２において、上側は正常な伝送が行われた場合のシーケンスを、下側は最初の伝送に異常があった場合のシーケンスを示している。
ＡＰは、まず、送信ＳＴＡに対してポーリングを行う。送信ＳＴＡは、ポーリングを受けてデータの送信を行う。そして、ＡＰは、送信ＳＴＡから受信したデータを受信ＳＴＡへ送信する（図１２上側）。しかし、送信ＳＴＡに対してポーリングを行ってから所定の時間を待ってもデータが送信されてこない場合には、ＡＰは、ポーリングの再送を行いデータの送信を待つ（図１２下側）。
【０００６】
【発明が解決しようとする課題】
ところで、上述したミリ波無線ＡＴＭ  ＬＡＮでは、無線チャネルを２チャンネル使用する周波数分割多重方式を用いることにより、ＳＴＡからＡＰに向かう上り伝送路とＡＰからＳＴＡに向かう下り伝送路とを同時使用可能である全二重通信路の形成を前提としている。
【０００７】
しかし、ミリ波帯のように伝送帯域が豊富なバンドでは、周波数分割多重方式を利用した全二重通信が容易に行えるが、マイクロ波帯においては、毎秒メガビットの伝送速度のチャンネルは１〜２チャンネルしか利用できないため、１チャンネルを時分割に利用して双方向の通信（半二重通信）を実現するのが一般的である。この場合、無線送受信機の同期合わせのためのプリアンブルビット等を、上りバースト，下りバーストの最初に付加する必要がある。このプリアンブルビットは、一般的には１００ビットを越す場合が多く、オーバヘッドがポーリング等の制御情報のデータ量に比して無視できない大きさとなり、応答時間は全二重通信で想定している時間の数倍にもなってしまう。
そこで、伝送効率を重視する場合には、１フレームのポーリングに対して十数フレームのデータを返送するようにする。ただし、この場合、ＡＰにおけるポーリングの再送タイミングが課題となる。
【０００８】
ポーリングに伝送エラーを生じた場合には、ＳＴＡはデータを１フレームも送信しないため、ＡＰにおいて１フレーム目の受信が無い場合にポーリングの再送を行うと素早い回復が期待できる。
ところが、各フレームの先頭にはフレーム同期のためのユニークワードが付加されており、このユニークワードに伝送エラーを生じた場合、この伝送エラーを生じたフレームは受信時に廃棄されるため受信がなされない。しかし、ＳＴＡはこれに引き続いて残りのフレームを送信する。この場合、１フレーム目が受信されないからといってポーリングを再送すると、ＡＰのポーリング（下り方向）とＳＴＡの２フレーム目以降のデータ送信（上り方向）とが衝突してしまう。データフレームは何フレーム以上連続して喪失されないといった保証はないため、結局ＡＰでは、十数フレーム以上のタイムアウトの後にポーリングの再送を送信する必要がある。
【０００９】
従って、ポーリングに伝送エラーを生じた際のポーリングの再送は、多くの伝送帯域を費やすことになる。アイソクロナスデータの帯域割り当てにおいては、こうしたロスを見込んでおく必要が生じるため、無線資源を有効に配分することができなくなるという問題がある。
【００１０】
さらに、無線の届く範囲に比べて遠くの端末装置からデータ伝送をする場合には、無線の中継伝送が必要になるが、同様の理由によりマイクロ波帯での無線中継は、時分割での実現が想定される。この場合、ＡＰから中継装置へのポーリングおよび中継装置からＳＴＡへのポーリングと、ＳＴＡから中継装置へのデータ伝送および中継装置からＡＰへのデータ伝送とは、すべて時分割に行われるため、タイムアウト時間は中継数の倍以上に設定する必要があるという問題を残している。
【００１１】
それ故、本発明の目的は、ポーリングに伝送エラーが生じても、ポーリングの再送を必要とせず、かつ、半二重通信における上り／下り方向の信号衝突を発生させずに、無線資源を有効に利用することができるデータ伝送方法およびデータ伝送システム並びに当該システムに用いる装置を提供することである。
【００１２】
【課題を解決するための手段および発明の効果】
第１の発明は、周期的なポーリングに基づいて、中央装置と端末装置との間のデータ伝送を行う方法であって、
端末装置は、中央装置から周期的なポーリングが受信されるべきタイミングにポーリングを受信できなかった場合、自ら計数するポーリング周期のタイミングに従って、次にポーリングを受信するまで最大Ｎ周期（Ｎは、正の整数）の間継続して中央装置へ一定量のデータを送信することを特徴とする。
【００１３】
上記のように、第１の発明によれば、端末装置側において、中央装置側が行うポーリングの周期を計数することで自らデータ伝送すべき周期を把握している。
これにより、最後に受信されたポーリングからＮ周期目までのデータの送信は確実に行えるため、ポーリングの再送を不要とすることができ、アイソクロナスデータの効率的な伝送が可能となる。
【００１４】
第２の発明は、周期的なポーリングに基づいて、中央装置と端末装置との間のデータ伝送を行う方法であって、
中央装置は、端末装置に対し、予め定めた一定の間隔で周期的ポーリングを行うステップを備え、
端末装置は、
中央装置から送信されるポーリングを受信するステップと、
ポーリングを受信するごとに計数値をリセットするとともに、当該受信した時点から予め定めたポーリング周期の計数を開始するステップと、
計数を開始するステップに追動して、ポーリング周期のタイミングを計数開始からＮ周期（Ｎは、正の整数）までカウントするステップと、
中央装置から周期的ポーリングが受信されるべきタイミングにポーリングを受信した場合、当該受信したポーリングのタイミングに従って、中央装置へ一定量のデータを送信するステップと、
中央装置から周期的ポーリングが受信されるべきタイミングにポーリングを受信できなかった場合、ポーリング周期のタイミングに従って、最大Ｎ周期の間継続して中央装置へ一定量のデータを送信するステップとを備える。
【００１５】
上記のように、第２の発明によれば、端末装置側において、中央装置側が行うポーリングの周期を計数することで自らデータ伝送すべき周期を把握している。
これにより、伝送エラー等でポーリングが受信されない時でも、最後に受信されたポーリングからＮ周期目までのデータの送信は確実に行えるため、ポーリングの再送を不要とすることができ、アイソクロナスデータの効率的な伝送が可能となる。
【００１６】
第３の発明は、第２の発明に従属する発明であって、
中央装置は、
周期的ポーリングを行って要求した所望のデータを所定の時間までに受信できない場合、当該所望のデータの再送を要求する再送ポーリングを行うステップと、
再送ポーリングを行うにあたり、周期的ポーリングと再送ポーリングとの判別が可能な情報ビットを、予め定めた制御領域に格納するステップとをさらに備え、
端末装置は、
受信したポーリングの制御領域に格納された情報ビットを判別するステップと、
受信したポーリングの情報ビットが再送であることを示している場合には、計数を開始するステップにおいて、計数値をリセットせずに計数を継続するとともに、当該ポーリングのタイミングに従って、中央装置へ要求されるデータを送信するステップとをさらに備える。
【００１７】
上記のように、第３の発明によれば、第２の発明において、ポーリングの内容を表示する情報ビットを用いて、非周期的な再送ポーリングを受信した場合であっても、端末装置側のポーリング周期の計数およびＮ周期のカウントの動作を継続して行うように制御する。
これにより、無線の伝送容量に余裕がある時には、ポーリングによるデータの受信がタイムアウトした場合にポーリングを再送しても、端末装置側におけるポーリング周期の再現に影響しない。
【００１８】
第４の発明は、周期的なポーリングに基づいて、中央装置と端末装置との間のデータ伝送を、少なくとも１つ以上の中継装置を介して行う方法であって、
中央装置は、端末装置に対し、中継装置を介して予め定めた一定の間隔で周期的ポーリングを行うステップを備え、
端末装置は、
中央装置から中継装置を介して送信されるポーリングを受信するステップと、
ポーリングを受信するごとに計数値をリセットするとともに、当該受信した時点から予め定めたポーリング周期の計数を開始するステップと、
計数を開始するステップに追動して、ポーリング周期のタイミングを計数開始からＮ周期（Ｎは、正の整数）までカウントするステップと、
中央装置から周期的ポーリングが中継装置を介して受信されるべきタイミングにポーリングを受信した場合、当該受信したポーリングのタイミングに従って、中継装置を介して中央装置へ一定量のデータを送信するステップと、
中央装置から周期的ポーリングが中継装置を介して受信されるべきタイミングにポーリングを受信できなかった場合、ポーリング周期のタイミングに従って、中継装置を介して最大Ｎ周期の間継続して中央装置へ一定量のデータを送信するステップとを備える。
【００１９】
上記のように、第４の発明によれば、端末装置側において、中央装置側が行うポーリングの周期を計数することで自らデータ伝送すべき周期を把握している。
これにより、中継装置を介して送信を行う場合であっても、伝送エラー等でポーリングが受信されない時でも、最後に受信されたポーリングからＮ周期目までのデータの送信は確実に行えるため、ポーリングの再送を不要とすることができ、アイソクロナスデータの効率的な伝送が可能となる。
【００２０】
第５の発明は、第４の発明に従属する発明であって、
中央装置は、
周期的ポーリングを行って要求した所望のデータを所定の時間までに受信できない場合、当該所望のデータの再送を要求する再送ポーリングを行うステップと、
再送ポーリングを行うにあたり、周期的ポーリングと再送ポーリングとの判別が可能な情報ビットを、予め定めた制御領域に格納するステップとをさらに備え、
端末装置は、
受信したポーリングの制御領域に格納された情報ビットを判別するステップと、
受信したポーリングの情報ビットが再送であることを示している場合には、計数を開始するステップにおいて、計数値をリセットせずに計数を継続するとともに、当該ポーリングのタイミングに従って、中継装置を介して中央装置へ要求されるデータを送信するステップとをさらに備える。
【００２１】
上記のように、第５の発明によれば、第４の発明において、ポーリングの内容を表示する情報ビットを用いて、非周期的な再送ポーリングを受信した場合であっても、端末装置側のポーリング周期の計数およびＮ周期のカウントの動作を継続して行うように制御する。
これにより、中継装置を介して送信を行う場合であっても、無線の伝送容量に余裕がある時には、ポーリングによるデータの受信がタイムアウトした場合にポーリングを再送しても、端末装置側におけるポーリング周期の再現に影響しない。
【００２２】
第６の発明は、第４および５の発明に従属する発明であって、
中継装置において、
中央装置または端末装置から宛先アドレスが自局装置宛である無線フレームを受信し、当該宛先アドレスを端末装置または中央装置宛のアドレスに変更したフレームを、半二重通信方式において中継送信する場合、
中央装置または端末装置から送信される無線フレームの受信を終了してから端末装置または中央装置への無線フレームの送信を開始するまでの中継時間を、所定の時間以内とすることを特徴とする。
【００２３】
上記のように、第６の発明によれば、第４および第５の発明において、中継装置で行われる中継時間を所定の時間以内としている。
これにより、中央装置がポーリングを送信してから中央装置にデータが返送される時間が容易に算出可能となり、ポーリングの再送信を効率よく行える。
【００２４】
第７の発明は、第６の発明に従属する発明であって、
中央装置から端末装置に向かって送信されるポーリングおよび制御のフレームと、端末装置から中央装置に向かって送信されるデータフレーム群を構成する個々のフレームとを、それぞれ同じ大きさの固定長フレームとすることにより、中継時間を所定の時間以内とすることを特徴とする。
【００２５】
上記のように、第７の発明によれば、第６の発明において、上り下り双方の各フレーム長を同じ大きさの固定長フレームとする。
これにより、中継装置でのフレーム転送処理等の時間が一定となるため、中継処理に要する時間を一定とすることができる。
【００２６】
第８の発明は、第４〜７の発明に従属する発明であって、
中央装置において、
周期的ポーリングにより要求した所望のデータを所定の時間までに受信できない場合の再送要求、または当該再送要求により要求した所望のデータを所定の時間までに受信できない場合の再送要求、あるいは他の端末装置に対するポーリングを、
周期的ポーリングまたは再送ポーリングのフレームのデータ量をＤｐ、当該ポーリングに対応して返送するフレームのデータ量をＤｄ、フレーム伝送速度をＶ、端末装置の応答時間をＧｒｅ、端末装置で持たせる時間のマージンをα、中央装置で持たせる時間のマージンをβ、中継装置における上りの中継時間および下りの中継時間をそれぞれＧｒｏ１，Ｇｒｏ２、中継装置の中継段数をＮｒとした場合、
Ｔｏ＝（Ｄｐ＋Ｄｄ）／Ｖ×（Ｎｒ＋１）＋（Ｇｒｏ１＋Ｇｒｏ２）×Ｎｒ＋Ｇｒｅ＋α＋β
で求まるタイムアウト時間Ｔｏの経過時と所望のデータの受信完了時とのいずれか早いタイミングで行うことを特徴とする。
【００２７】
上記のように、第８の発明によれば、第４〜第７の発明において、タイムアウト時間Ｔｏの典型的な算出手法を特定したものである。
これにより、中央装置におけるポーリングのタイムアウト時間Ｔｏを中継段数Ｎｒを考慮して容易に算出可能となり、また、再送要求フレーム数の増減に適応してタイムアウト時間Ｔｏの設定が可能となり、ポーリングでデータフレームの再送を効率よく行える。
【００２８】
第９の発明は、第８の発明に従属する発明であって、
再送ポーリングを行うにあたり、伝送エラーのある任意のフレームを選択的に再送要求する場合において、
再送要求するフレーム数からデータ量Ｄｄを求めてタイムアウト時間Ｔｏを算出することを特徴とする。
【００２９】
上記のように、第９の発明によれば、第８の発明において、再送要求するフレーム数からデータ量Ｄｄを求めてタイムアウト時間Ｔｏを算出する。
これにより、タイムアウト時間Ｔｏを必要最小限に設定することが可能となり、効率のよいデータ伝送が高信頼性で可能となる。
【００３０】
第１０の発明は、第２〜第９の発明に従属する発明であって、
Ｎ周期までカウントするステップにおけるＮの値は、中央装置がポーリングを送信するごとに与えることを特徴とする。
【００３１】
上記のように、第１０の発明によれば、第２〜第９の発明において、カウントするＮの値を中央装置側から与えるようにする。
これにより、さらにリアルタイムで効率のよいデータ伝送が可能となる。
【００３２】
第１１の発明は、任意の他局装置から宛先アドレスが自局装置宛である無線フレームを受信し、当該宛先アドレスを別の他局装置宛のアドレスに変更したフレームを、半二重通信方式において中継送信するデータ伝送方法であって、
任意の他局装置から送信される無線フレームの受信を終了してから別の他局装置への無線フレームの送信を開始するまでの中継時間が、所定の時間以内であることを特徴とする。
【００３３】
上記のように、第１１の発明によれば、中継処理においてかかる中継時間を所定の時間以内としている。
これにより、マイクロ波帯のようにチャネル数に限りのある無線バンドにおいて、伝送時間が制限されたアイソクロナスデータの中継送信が可能となる。
【００３４】
第１２の発明は、第１１の発明に従属する発明であって、
任意の他局装置から別の他局装置に向かって送信されるポーリングおよび制御のフレームと、別の他局装置から任意の他局装置に向かって送信されるデータフレーム群を構成する個々のフレームとを、それぞれ同じ大きさの固定長フレームとすることにより、中継時間を所定の時間以内とすることを特徴とする。
【００３５】
上記のように、第１２発明によれば、第１１の発明において、上り下り双方の各フレーム長を同じ大きさの固定長フレームとする。
これにより、フレーム転送処理等の時間が一定となるため、中継処理を行う場合に要する時間を一定とすることができる。
【００３６】
第１３の発明は、周期的なポーリングに基づいて、中央装置と端末装置との間のデータ伝送を行うシステムであって、
中央装置は、
端末装置に対し、予め定めた一定の間隔で周期的ポーリングを行う送信手段と、
端末装置から送信されるデータを受信する受信手段とを備え、
端末装置は、
中央装置から送信されるポーリングを受信する受信手段と、
受信手段がポーリングを受信するごとに計数値をリセットするとともに、当該受信した時点から予め定めたポーリング周期の計数を開始するポーリング周期計数手段と、
ポーリング周期計数手段におけるポーリング周期のタイミングを計数開始からＮ周期（Ｎは、正の整数）までカウントするカウント手段と、
受信手段が、中央装置から周期的ポーリングを受信すべきタイミングに、ポーリングを受信した場合は受信手段の制御に従い、ポーリングを受信できなかった場合はポーリング周期計数手段の制御に従ってポーリング周期のタイミングごとに最大Ｎ周期の間継続して、中央装置へ一定量のデータを送信する送信手段とを備える。
【００３７】
上記のように、第１３の発明によれば、端末装置において、中央装置が行うポーリングの周期を計数することで自らデータ伝送すべき周期を把握している。
これにより、伝送エラー等でポーリングが受信されない時でも、最後に受信されたポーリングからＮ周期目までのデータの送信は確実に行えるため、ポーリングの再送を不要とすることができ、アイソクロナスデータの効率的な伝送が可能となる。
【００３８】
第１４の発明は、周期的なポーリングに基づいて、中央装置と端末装置との間のデータ伝送を、少なくとも１つ以上の中継装置を介して行うシステムであって、
中央装置は、
端末装置に対し、中継装置を介して予め定めた一定の間隔で周期的ポーリングを行う送信手段と、
端末装置から中継装置を介して送信されるデータを受信する受信手段とを備え、
端末装置は、
中央装置から中継装置を介して送信されるポーリングを受信する受信手段と、
受信手段がポーリングを受信するごとに計数値をリセットするとともに、当該受信した時点から予め定めたポーリング周期の計数を開始するポーリング周期計数手段と、
ポーリング周期計数手段におけるポーリング周期のタイミングを計数開始からＮ周期（Ｎは、正の整数）までカウントするカウント手段と、
受信手段が、中継装置を介して中央装置から周期的ポーリングを受信すべきタイミングに、ポーリングを受信した場合は受信手段の制御に従い、ポーリングを受信できなかった場合はポーリング周期計数手段の制御に従ってポーリング周期のタイミングごとに最大Ｎ周期の間継続して、中継装置を介して中央装置へ一定量のデータを送信する送信手段とを備える。
【００３９】
上記のように、第１４の発明によれば、端末装置において、中央装置が行うポーリングの周期を計数することで自らデータ伝送すべき周期を把握している。
これにより、中継装置を介して送信を行う場合であっても、伝送エラー等でポーリングが受信されない時でも、最後に受信されたポーリングからＮ周期目までのデータの送信は確実に行えるため、ポーリングの再送を不要とすることができ、アイソクロナスデータの効率的な伝送が可能となる。
【００４０】
第１５の発明は、第１３および第１４の発明に従属する発明であって、
中央装置において、
送信手段は、周期的ポーリングを行って要求した所望のデータを所定の時間までに受信できない場合、当該所望のデータの再送を要求する再送ポーリングをさらに行うとともに、当該再送ポーリングを行うにあたり、周期的ポーリングと当該再送ポーリングとの判別が可能な情報ビットを予め定めた制御領域に格納し、
端末装置において、
受信手段は、受信したポーリングの情報ビットを判別し、当該情報ビットが再送であることを示している場合には、ポーリング周期計数手段での計数値をリセットせずに計数を継続するとともに、送信手段の制御を行うことを特徴とする。
【００４１】
上記のように、第１５の発明によれば、第１３および第１４の発明において、ポーリングの内容を表示する情報ビットを用いて、非周期的な再送ポーリングを受信した場合であっても、端末装置のポーリング周期の計数およびＮ周期のカウントの動作を継続して行うように制御する。
これにより、無線の伝送容量に余裕がある時には、ポーリングによるデータの受信がタイムアウトした場合にポーリングを再送しても、端末装置におけるポーリング周期の再現に影響しない。
【００４２】
第１６の発明は、周期的なポーリングに基づいて、中央装置との間のデータ伝送を行う端末装置であって、
中央装置から直接送信される、または中継装置を介して送信されるポーリングを受信する受信手段と、
受信手段がポーリングを受信するごとに計数値をリセットするとともに、当該受信した時点から予め定めたポーリング周期の計数を開始するポーリング周期計数手段と、
ポーリング周期計数手段におけるポーリング周期のタイミングを計数開始からＮ周期（Ｎは、正の整数）までカウントするカウント手段と、
受信手段が中央装置から周期的なポーリングを受信すべきタイミングに、ポーリングを受信した場合は受信手段の制御に従い、ポーリングを受信できなかった場合はポーリング周期計数手段の制御に従ってポーリング周期のタイミングごとに最大Ｎ周期の間継続して、中央装置へ一定量のデータを送信する送信手段とを備える。
【００４３】
上記のように、第１６の発明によれば、中央装置が行うポーリングの周期を計数することで自らデータ伝送すべき周期を把握している。
これにより、伝送エラー等でポーリングが受信されない時でも、最後に受信されたポーリングからＮ周期目までのデータの送信は確実に行えるため、ポーリングの再送を不要とすることができ、アイソクロナスデータの効率的な伝送が可能となる。
【００４４】
第１７の発明は、第１６の発明に従属する発明であって、
中央装置から送信されるポーリングの制御領域に、当該ポーリングが周期的ポーリングか、データの再送を要求する再送ポーリングかを表す情報ビットを格納している場合、
受信手段は、受信したポーリングの情報ビットを判別し、当該情報ビットが再送であることを示している場合には、ポーリング周期計数手段での計数値をリセットせずに計数を継続するとともに、送信手段の制御を行うことを特徴とする。
【００４５】
上記のように、第１７の発明によれば、第１６の発明において、中央装置が送信するポーリングの内容を表示する情報ビットを用いて、非周期的な再送ポーリングを受信した場合であっても、ポーリング周期の計数およびＮ周期のカウントの動作を継続して行うように制御する。
これにより、無線の伝送容量に余裕がある時には、ポーリングによるデータの受信がタイムアウトした場合にポーリングを再送しても、ポーリング周期の再現に影響しない。
【００４６】
第１８の発明は、周期的なポーリングに基づいて、中央装置と端末装置との間のデータ伝送を、少なくとも１つ以上の第２の中継装置を介して行う方法であって、
中央装置は、端末装置に対し、予め定めた一定の間隔で周期的ポーリングを行うステップを備え、
第２の中継装置は、
中央装置から送信されるポーリングを受信するステップと、
受信したポーリングを端末装置に対して送信するステップと、
端末装置からポーリングに対して送信された一定量のデータを受信するステップと、
中央装置から送信されるポーリングに対して、端末装置から１周期前に受信した一定量のデータを中央装置に対して送信するステップとを備え、
端末装置は、
第２の中継装置から送信されるポーリングを受信するステップと、
第２の中継装置から送信されるポーリングに対して、中央装置へ一定量のデータを送信するステップとを備える。
【００４７】
上記のように、第１８の発明によれば、中央装置からのポーリングに対して、端末装置がデータを送信するステップと１周期前に端末装置が送信したデータを中継装置が送信するステップとが同時に実行されるため、データの効率的な伝送が可能となる。
【００４８】
第１９の発明は、第１８の発明に従属する発明であって、
第２の中継装置において、
中央装置から第１の無線周波数または第１の拡散コードで送信されるポーリングを受信し、
受信したポーリングを端末装置に対して第２の無線周波数または第２の拡散コードで送信し、
端末装置からポーリングに対して送信された一定量のデータを、第２の無線周波数または第２の拡散コードで受信し、
中央装置から送信されるポーリングに対して、端末装置から１周期前に受信した一定量のデータを、中央装置に対して第１の無線周波数または第２の拡散コードで送信することを特徴とする。
【００４９】
上記のように、第１９の発明によれば、第１８の発明において、伝送路に無線を用いた場合にも、中央装置からのポーリングに対して、端末装置がデータを送信するステップと１周期前に端末装置が送信したデータを中継装置が送信するステップとが同時に実行されるため、データの効率的な伝送が可能となる。
【００５０】
第２０の発明は、第１８および第１９の発明に従属する発明であって、
第２の中継装置および端末装置はともに、
ポーリングを受信するごとに計数値をリセットするとともに、当該受信した時点から予め定めたポーリング周期の計数を開始するステップと、
計数を開始するステップに追動して、ポーリング周期のタイミングを計数開始からＮ周期（Ｎは、正の整数）までカウントするステップと、
周期的ポーリングが受信されるべきタイミングにポーリングを受信した場合、当該受信したポーリングのタイミングに従って、一定量のデータを送信するステップと、
周期的ポーリングが受信されるべきタイミングにポーリングを受信できなかった場合、最大Ｎ周期がカウントされるまでは、計数したポーリング周期のタイミングに従って一定量のデータを送信するステップとをさらに備えることを特徴とする。
【００５１】
上記のように第２０の発明によれば、第１８および第１９の発明において、第２の中継装置および端末装置において、中央装置が行うポーリングの周期を計数することで自らデータ伝送すべき周期を把握している。
これにより、伝送エラー等でポーリングが受信されない時でも、最後に受信されたポーリングからＮ周期目までのデータの送信は端末装置と中央装置とで同時にかつ確実に行えるため、ポーリングの再送を不要とすることができ、アイソクロナスデータの効率的な伝送が可能となる。
【００５２】
【発明の実施の形態】
（第１の実施形態）
図１は、本発明の第１の実施形態に係るデータ伝送方法を用いるシステムの構成を示すブロック図である。図２は、本発明の第１の実施形態に係るデータ伝送方法で用いるバーストの構成の一例を示す図である。図３は、本発明の第１の実施形態に係るデータ伝送方法のシーケンスを示す図である。
以下、本発明の第１の実施形態に係るデータ伝送方法およびシステム並びに装置を、図１〜図３を用いて説明する。
【００５３】
まず、図１を参照して、本発明の第１の実施形態に係るデータ伝送方法を用いるシステムは、中央装置１０と端末装置２０とが無線伝送路４０を介して接続されている。
中央装置１０は、送信ＲＦ部１０１と、受信ＲＦ部１０３と、ベースバンド処理部１０２，１０４と、送信フレーム構築部１０５と、ポーリング周期計数部１０６と、受信フレーム解析部１０７とを備える。端末装置２０は、送信ＲＦ部２０１と、受信ＲＦ部２０３と、ベースバンド処理部２０２，２０４と、送信フレーム構築部２０５と、ポーリング周期計数部２０６と、受信フレーム解析部２０７と、スイッチ部２０８と、カウント部２０９とを備える。
【００５４】
次に、図２を参照して、第１の実施形態に係るデータ伝送方法で用いるバーストの構成を説明する。図２において、図２（ａ）は、中央装置１０から端末装置２０へ送信する下りバーストの構成を示し、図２（ｂ）は、端末装置２０から中央装置１０へ送信する上りバーストの構成を示している。
【００５５】
各バーストの先頭には、受信側がビット同期を確立するために必要なプリアンブルビット「ＰＲ」が付加されている。ＰＲに続くフレームは、フレーム同期のためのユニークワード「ＵＷ」で始まり、続いて送信元のデータリンクアドレス「ＳＡ」，宛先（受信先）のデータリンクアドレス「ＤＡ」の順で構成される。なお、この例では、中央装置１０と端末装置２０とで構成される最小システムにおけるバーストの構成を示しており、各バーストにはルーティングのためのネットワークアドレスを省略している。
図２（ａ）において、「Ｐｏｌｌ」は、ポーリングを示す制御領域である。図２（ｂ）において、「Ｄａｔａ」は、映像データ，音声データまたはコンピュータデータである。「ＣＲＣ」は、下りバーストにおいてはＳＡからＰｏｌｌまで、上りバーストにおいてはＳＡからＤａｔａまでの情報のエラーを検出する符号である。また、図２（ｂ）に示す上りバーストは、フレーム０からフレーム１５までの１６フレームで構成される場合を一例として示している。
【００５６】
再び図１を参照して、まず、下り方向であるポーリング送信の処理について説明する。
中央装置１０において、送信フレーム構築部１０５は、ＳＡを自己のデータリンクアドレスに、ＤＡを端末装置２０のデータリンクアドレスに設定したフレームを構築し、ベースバンド処理部１０２へ出力する。一方、ポーリング周期計数部１０６は、内部のローカルクロックを用いて予め定めた一定のポーリング周期を計数してベースバンド処理部１０２を制御することで、ポーリング送信のタイミングを制御する。ベースバンド処理部１０２は、ポーリング周期計数部１０６からの制御に基づいて、送信フレーム構築部１０５が出力するフレームにＰＲを付加して下りバーストを構築し、送信ＲＦ部１０１を経て端末装置２０へ無線伝送路４０を介して送信する。このようにして、中央装置１０は、一定のポーリング周期で端末装置２０へポーリングを送信する。
【００５７】
端末装置２０において、無線伝送路４０を介して受信される下りバーストは、受信ＲＦ部２０３を経てベースバンド処理部２０４に入力される。ベースバンド処理部２０４は、入力する下りバーストに対し、ＰＲでビット同期を確立し、ＵＷでフレーム同期を確立し、それ以後に続くデータ（ＳＡ〜ＣＲＣ）を受信して受信フレーム解析部２０７へ転送する。受信フレーム解析部２０７は、ＤＡが自己宛であることを確認し、ＣＲＣによるエラーが検出されなければ、制御領域（ｐｏｌｌ）を解析する。そして、受信フレーム解析部２０７は、ポーリングを検出した結果の信号を、ベースバンド処理部２０２，ポーリング周期計数部２０６，カウント部２０９および端末装置２０の内部（図示せず）へ出力する。
【００５８】
次に、上り方向であるデータ送信の処理について説明する。
端末装置２０において、受信フレーム解析部２０７は、上述したようにポーリング検出信号をベースバンド処理部２０２へ出力することにより、フレームの送信を指示する。また、送信フレーム構築部２０５は、ポーリング検出信号を受けた端末装置２０の内部（図示せず）から送信データ（Ｄａｔａ）を入手する。そして、送信フレーム構築部２０５は、ＳＡを自己のアドレス、ＤＡを中央装置１０のアドレスに設定し、ＳＡ，ＤＡおよびＤａｔａに対するＣＲＣを計算して送信するフレームを構築する。
【００５９】
一方、ポーリング周期計数部２０６は、自己のローカルクロックを用いて中央装置１０がポーリングを行う周期を自ら計数する。そして、ポーリング周期計数部２０６は、ポーリング周期に予め定めたマージンα分を加えた周期を計数するごとに、スイッチ部２０８およびカウント部２０９へ信号を出力する。なお、ポーリング周期計数部２０６は、受信フレーム解析部２０７がポーリングを検出する（ポーリング検出信号を入力する）たびにリセットされる。
スイッチ部２０８は、一方の端子がポーリング周期計数部２０６の出力に接続され、他方の端子がベースバンド処理部２０２の入力に接続されており、スイッチの切換え（開閉）制御は、カウント部２０９の出力で行われる。スイッチ部２０８は、通常スイッチを閉じており、カウント部２０９からの制御があるとスイッチを開ける。
カウント部２０９は、ポーリング周期計数部２０６がポーリング周期を計数するごとに出力する信号に従って、カウントアップを行う。そして、カウント部２０９は、カウント値が予め定めたＮ（Ｎは、正の整数）の値に到達すると、すなわち、ポーリングのＮ周期となる期間を経過すると、スイッチ部２０８に対して接続を開けるように制御する。また、カウント部２０９は、カウント値がＮの値に到達すると、ポーリング周期計数部２０６における計数を停止させる。なお、カウント部２０９は、受信フレーム解析部２０７がポーリングを検出する（ポーリング検出信号を入力する）たびにリセットされる。
【００６０】
従って、ベースバンド処理部２０２は、受信フレーム解析部２０７またはポーリング周期計数部２０６のいずれかからの制御に基づいて、送信フレーム構築部２０５が出力するフレームにＰＲを付加して上りバーストを構築し、送信ＲＦ部２０１を経て中央装置１０へ無線伝送路４０を介して送信する。このようにして、端末装置２０は、一定の周期で中央装置１０へデータを送信する。
【００６１】
中央装置１０において、無線伝送路４０を介して受信される上りバーストは、受信ＲＦ部１０３を経てベースバンド処理部１０４に入力される。ベースバンド処理部１０４は、入力する上りバーストに対し、ＰＲでビット同期を確立し、ＵＷでフレーム同期を確立し、それ以後に続くデータ（ＳＡ〜ＣＲＣ）を受信して受信フレーム解析部１０７へ転送する。受信フレーム解析部１０７は、ＤＡが自己宛であることを確認し、ＣＲＣによるエラーが検出されなければ、データ領域（Ｄａｔａ）を抽出して中央装置１０の内部（図示せず）へ出力する。
【００６２】
次に、図３を参照して、上記構成のシステムにおける第１の実施形態に係るデータ伝送方法をさらに説明する。なお、図３中、Ｇｒｅは端末装置２０がポーリングを受信してからフレームの送信を開始するまでの応答ギャップ時間を示している。また、図３中の×印は、ポーリングのフレームに伝送エラーが発生したことを表している。
【００６３】
中央装置１０からポーリングが行われた場合、端末装置２０の受信フレーム解析部２０７は、上述したようにポーリング検出信号をベースバンド処理部２０２，ポーリング周期計数部２０６等へ出力する。従って、この場合には、ポーリング周期計数部２０６がリセットされ、ベースバンド処理部２０２におけるフレーム送信の制御は、受信フレーム解析部２０７が、ポーリング検出信号を用いて行うことになる。
さらに、中央装置１０からポーリングが行われた場合、端末装置２０の受信フレーム解析部２０７は、上述したようにポーリング検出信号をベースバンド処理部２０２，ポーリング周期計数部２０６等へ出力する。従って、この場合にも、ポーリング周期計数部２０６がリセットされ、ベースバンド処理部２０２におけるフレーム送信の制御は、受信フレーム解析部２０７が、ポーリング検出信号を用いて行うことになる。
このように、ポーリングが一定周期で確実に行われる場合には、通常どおり受信フレーム解析部２０７が、フレーム送信の制御を行う。
【００６４】
次に、伝送エラー等の原因で中央装置１０からポーリングが行われなかった場合、端末装置２０の受信フレーム解析部２０７は、ポーリングを検出することができず、ポーリング検出信号を出力しない。従って、この場合には、ポーリング周期計数部２０６はリセットされることなく、ポーリング周期の計数を完了し、その信号をスイッチ部２０８を介してベースバンド処理部２０２へ出力する。よって、ベースバンド処理部２０２におけるフレーム送信の制御は、ポーリング周期計数部２０６が、周期計数の信号を用いて行うことになる。
そして、このポーリング周期計数部２０６によるベースバンド処理部２０２におけるフレーム送信の制御は、Ｎ周期（カウント部２０９の制御によってスイッチ部２０８が開かれるまで）を限度に、受信フレーム解析部２０７でポーリングが検出されるまで継続して行われる。
【００６５】
なお、ポーリング周期計数部２０６の計数開始のタイミングおよびカウント部２０９のＮ周期は、中央装置１０と端末装置２０とのローカルクロックの誤差を勘案して、端末装置２０側において計数するポーリングタイミングが中央装置１０からのポーリングタイミングより早くならないように決定し、また、中央装置１０からのポーリングタイミングを基準にしたデータの送信タイミングが、予め設定されたＧｒｅにマージンαを加えた時間を超えないように決定する。
【００６６】
以上のように、本発明の第１の実施形態に係るデータ伝送方法によれば、端末装置２０において、中央装置１０が行うポーリングの周期を計数することで自らデータ伝送すべき周期を把握している。
これにより、伝送エラーによりポーリングが受信されない場合においても、所定の時間以内に定期的な（Ｎ周期目まで）データの伝送が確実に可能となり、ポーリングの再送が不要となる。また、時分割による半二重通信を行った場合にも、オーバヘッドの軽減と中央装置１０におけるタイムアウト時間の管理を容易にすることができ、特に音声や映像等の時間に厳しいアイソクロナスなデータの伝送に問題なく対応することができる。
【００６７】
（第２の実施形態）
図４は、本発明の第２の実施形態に係るデータ伝送方法を用いるシステムの構成を示すブロック図である。図５は、本発明の第２の実施形態に係るデータ伝送方法で用いるバーストの構成の一例を示す図である。図６は、本発明の第２の実施形態に係るデータ伝送方法のシーケンスを示す図である。
【００６８】
図４に示すように、第２の実施形態に係るデータ伝送方法を用いるシステムは、上記第１の実施形態に係るデータ伝送方法を用いるシステムの中央装置１０と端末装置２０との間に、当該双方の装置を中継する中継装置３０を挿入した構成である。
なお、第２の実施形態に係るデータ伝送方法を用いるシステムにおける中央装置１０および端末装置２０の構成は、上記第１の実施形態に係るデータ伝送方法を用いるシステムの構成と同様であり、当該構成については同一の参照番号を付してその説明を省略する。
以下、本発明の第２の実施形態に係るデータ伝送方法およびシステム並びに装置を、図４〜図６を用いて説明する。
【００６９】
まず、図４を参照して、中継装置３０は、中央装置１０および端末装置２０と無線伝送路４０を介して相互に接続されている。
中継装置３０は、送信ＲＦ部３０１，３０５と、受信ＲＦ部３０３，３０７と、ベースバンド処理部３０２，３０４，３０６，３０８と、送信フレーム構築部３０９，３１１と、受信フレーム解析部３１０，３１２と、アドレス変換部３１３とを備える。
【００７０】
次に、図５を参照して、第２の実施形態に係るデータ伝送方法で用いるバーストの構成を説明する。図５において、図５（ａ）は、中央装置１０から中継装置３０へ送信する下りバーストの構成を示し、図５（ｂ）は、中継装置３０から中央装置１０へ送信する上りバーストの構成を示す。
なお、中継装置３０から端末装置２０へ送信する下りバーストおよび端末装置２０から中継装置３０へ送信する上りバーストの構成は、上記第１の実施形態における図２で説明した構成と同様であるため、その説明を省略する。
【００７１】
各バーストの先頭には、受信側がビット同期を確立するために必要なプリアンブルビット「ＰＲ」が付加されている。ＰＲに続くフレームは、フレーム同期のためのユニークワード「ＵＷ」で始まり、続いて送信元のデータリンクアドレス「ＳＡ」，宛先（受信先）のデータリンクアドレス「ＤＡ」の順で構成される。「ＳＮＡ」および「ＤＮＡ」は、ルーティングのためのネットワークアドレスである。中央装置１０が中継装置３０を介して端末装置２０にフレームを送信する場合、ＳＡおよびＳＮＡを中央装置１０のデータリンクアドレスおよびネットワークアドレスに設定し、ＤＡを中継装置３０のデータリンクアドレスに、ＤＮＡを端末装置２０のネットワークアドレスに設定する。これを受信した中継装置３０は、ＳＡを中継装置３０のデータリンクアドレスに変換し、ＤＡを端末装置２０のネットワークアドレスに変換したフレームを再構築して送信する。
図５（ａ）において、「Ｐｏｌｌ」は、ポーリングを示す制御領域である。図５（ｂ）において、「Ｄａｔａ」は、映像データ，音声データまたはコンピュータデータである。「ＣＲＣ」は、下りバーストにおいてはＳＡからＰｏｌｌまで、上りバーストにおいてはＳＡからＤａｔａまでの情報のエラーを検出する符号である。中継装置３０においては、データリンクアドレスの変換が行われるため、ＣＲＣは再計算される。また、図５（ｂ）に示す上りバーストは、フレーム０からフレーム１５までの１６フレームで構成される場合の例を示している。
【００７２】
再び図４を参照して、まず、中継装置３０が中央装置１０からポーリング送信（下り方向）を受けたときの処理について説明する。
中継装置３０において、中央装置１０から無線伝送路４０を介して受信される下りバーストは、受信ＲＦ部３０７を経てベースバンド処理部３０８に入力される。ベースバンド処理部３０８は、入力する下りバーストに対し、ＰＲでビット同期を確立し、ＵＷでフレーム同期を確立し、それ以後に続くデータ（ＳＡ〜ＣＲＣ）を受信して受信フレーム解析部３１０へ転送する。受信フレーム解析部３１０は、ＤＡが自己宛であることを確認し、ＣＲＣによるエラーが検出されなければ、ＤＮＡをアドレス変換部３１３に転送し、フレーム全体を送信フレーム構築部３０９に転送する。アドレス変換部３１３は、ＤＮＡとＤＡとの対応を記憶しており、受信フレーム解析部３１０から入力されたＤＮＡに対応したＤＡを検索し、送信フレーム構築部３０９に転送する。ここで、アドレス変換部３１３における検索は、すべてのアドレスに対して同じ時間で処理されることが望まれる。これに対しては、メモリのアドレスを選択すると内容が同じ時間で出力される原理を用いるなどの処理が考えられる。送信フレーム構築部３０９は、受信フレーム解析部３１０から転送されたフレームのＤＡをアドレス変換部３１３から受けたＤＡに書き換え、ＳＡを中継装置３０のＳＡに書き換えた後、ＳＡから制御領域（ｐｏｌｌ）までのＣＲＣを計算したフレームをベースバンド処理部３０２へ出力する。ベースバンド処理部３０２は、送信フレーム構築部３０９が出力するフレームにＰＲを付加して下りバーストを再構築し、送信ＲＦ部３０１を経て端末装置２０へ無線伝送路４０を介して送信する。
【００７３】
次に、中継装置３０が端末装置２０からデータ送信（上り方向）を受けたときの処理について説明する。
中継装置３０において、端末装置２０から無線伝送路４０を介して受信される上りバーストは、受信ＲＦ部３０３を経てベースバンド処理部３０４に入力される。ベースバンド処理部３０４は、入力する上りバーストに対し、ＰＲでビット同期を確立し、ＵＷでフレーム同期を確立し、それ以後に続くデータ（ＳＡ〜ＣＲＣ）を受信して受信フレーム解析部３１２へ転送する。受信フレーム解析部３１２は、ＤＡが自己宛であることを確認し、ＣＲＣによるエラーが検出されなければ、ＤＡをアドレス変換部３１３に転送し、フレーム全体を送信フレーム構築部３１１に転送する。アドレス変換部３１３は、受信フレーム解析部３１２から入力されたＤＮＡに対応したＤＡを検索し、送信フレーム構築部３１１に転送する。送信フレーム構築部３１１は、アドレス変換部３１３から受けたＤＡを付加し、ＳＡを中継装置３０のＳＡに書き換えた後、ＳＡから制御領域（ｐｏｌｌ）までのＣＲＣを計算したフレームをベースバンド処理部３０６へ出力する。ベースバンド処理部３０６は、送信フレーム構築部３１１が出力するフレームにＰＲを付加して上りバーストを再構築し、送信ＲＦ部３０５を経て中央装置１０へ無線伝送路４０を介して送信する。
【００７４】
次に、図６を参照して、上記構成のシステムにおける第２の実施形態に係るデータ伝送方法を説明する。なお、図６中、Ｇｒｅは端末装置２０がポーリングを受信してからフレームの送信を開始するまでの応答ギャップ時間を、Ｇｒｏ１は中継装置３０における下りの中継時間を、Ｇｒｏ２は中継装置３０における上りの中継時間を示している。また、図３中の×印は、ポーリングのフレームに伝送エラーが発生したことを表している。
【００７５】
中央装置１０からポーリングが行われる場合、まず中央装置１０が中継装置３０へポーリング送信を行い、その後中継装置３０がＧｒｏ１の時間をかけて端末装置２０へポーリング送信を行う。この場合、上記第１の実施形態で述べたように、端末装置２０の受信フレーム解析部２０７は、ポーリング検出信号をベースバンド処理部２０２，ポーリング周期計数部２０６等へ出力する。従って、この場合には、ポーリング周期計数部２０６がリセットされ、ベースバンド処理部２０２におけるフレーム送信の制御は、受信フレーム解析部２０７が、ポーリング検出信号を用いて行うことになる。
一方、伝送エラー等の原因で中央装置１０からポーリングが行われなかった場合、中継装置３０から端末装置２０へも同様にポーリングが行われないことになる。この場合、上記第１の実施形態で述べたように、端末装置２０の受信フレーム解析部２０７は、ポーリングを検出することができず、ポーリング検出信号を出力しない。従って、この場合には、ポーリング周期計数部２０６はリセットされることなく、ポーリング周期の計数を完了し、その信号をスイッチ部２０８を介してベースバンド処理部２０２へ出力する。よって、ベースバンド処理部２０２におけるフレーム送信の制御は、ポーリング周期計数部２０６が、周期計数の信号を用いて行うことになる。
【００７６】
ここで、各フレームの長さを同じとすると、中継装置３０の内部における各フレームの中継処理もすべて同じ時間で行えるため、フレームを受信終了してからフレームを送信開始するまでの中継時間Ｇｒｏ１およびＧｒｏ２を、所定の時間とすることが可能となる。さらに、中継時間Ｇｒｏ１を一定の時間に保証することにより、中央装置１０が送信するポーリングは、一定の周期に保たれて端末装置２０に受信されるため、端末装置２０は、内部のローカルクロックの精度と中継装置３０の中継時間Ｇｒｏ１の精度とで、ポーリング周期を再現することが可能となる。また、中央装置１０は、端末装置２０のローカルクロックの精度および中継装置３０の中継時間Ｇｒｏ１，Ｇｒｏ２の精度の誤差を吸収できる適切なマージンを設けることで、周期的なポーリングのタイミング以外にポーリングを送信して新たなデータを受信を指示することができる。なお、端末装置２０における値Ｎは、上記精度の誤差と設定したマージンとの比で決定される。
【００７７】
具体的には、フレーム０〜フレーム１５をすべて同じ大きさのフレームとすること等で上りバーストの総フレーム長（総データ量）を一定とした場合、中継時間Ｇｒｏ２を所定の時間とすることが可能となる。よって、下りバーストのフレーム長をＤｐ、上りバーストの総フレーム長をＤｄ、各装置間のフレーム伝送速度をＶ、端末装置２０のマージンをα、中継装置３０の中継段数をＮｒとした場合、中央装置１０が下りバーストを送信してから、返送されてくる上りバーストを受信するまでの応答時間Ｔは、
Ｔ＝（Ｄｐ＋Ｄｄ）／Ｖ×（Ｎｒ＋１）＋（Ｇｒｏ１＋Ｇｒｏ２）×Ｎｒ＋Ｇｒｅ＋α
で与えられる。
ここで、時間Ｇｒｅ，Ｇｒｏ１およびＧｒｏ２による誤差をマージンβで吸収することにすれば、中央装置１０におけるタイムアウト時間Ｔｏは、
Ｔｏ＝Ｔ＋β
で与えられる。
このように総フレーム長を一定にすることで、タイムアウト時間Ｔｏを必要最小限に設定することができ、効率のよい伝送が高い信頼性で可能となる。
【００７８】
なお、中央装置１０から送信する下りバーストの内容が、受信したフレーム０〜フレーム１５の中でエラーが検出されたフレームを選択的に再送要求する等の場合には、再送要求に応答する上りバーストのフレーム数の減少に対応して、Ｄｄを計算し直すことで、最適なタイムアウト時間Ｔｏの設定が可能となる。
また、応答時間Ｔを算出するにあたり、すべての無線伝送路４０において一定のフレーム伝送速度Ｖとしたが、伝送速度がそれぞれ異なる場合であっても同様に算出できることは言うまでもない。
【００７９】
以上のように、本発明の第２の実施形態に係るデータ伝送方法によれば、中継装置３０の中継時間Ｇｒｏ１およびＧｒｏ２を一定にすることが可能であり、中継後の端末装置２０においても中央装置１０のポーリングタイミングを再現することが可能となる。
これにより、伝送エラー等でポーリングが受信されない場合においても、所定の時間以内に定期的な（Ｎ周期目まで）データの伝送が確実に可能となり、ポーリングの再送が不要となる。また、時分割による半二重通信や中継伝送を行った場合にも、オーバヘッドの軽減と中央装置１０におけるタイムアウト時間の管理を容易にすることができ、特に音声や映像等の時間に厳しいアイソクロナスなデータの伝送に問題なく対応することができる。
【００８０】
なお、上記第２の実施形態では、図５において中央装置１０と中継装置３０との間で送受信するバーストの構成として、ＳＮＡおよびＤＮＡの２つのネットワークアドレスを格納するように記載した。しかし、本発明に用いることができるバーストはその構成に限定されるものではなく、中央装置１０と端末装置２０とのルーティングができるものであれば、ネットワークアドレスの対を示す１つのコネクションＩＤを格納するバーストを用いても構わない。この場合、１つのコネクションＩＤが、ポイント−マルチポイントのコネクションを示すことでもよい。
【００８１】
また、上記第２の実施形態では、中継装置３０が１台挿入されている場合を記載しているが、２台以上の中継装置３０を挿入しても構わない。その構成は、必要な伝送帯域に応じて決定することが可能である。
【００８２】
さらに、上記第２の実施形態では、中継装置３０におけるＧｒｏ１およびＧｒｏ２は、中継装置３０が実際に中継処理を行うだけに要する時間として説明したが、中継装置３０自身にクロックやタイマー等を内蔵させて計数することにより、当該時間を超えた時間を与えるようにしてもよい。
【００８３】
（第３の実施形態）
ところで、中央装置１０は、ポーリングにより要求した所望のデータを所定の時間までに受信できなかった場合、無線伝送帯域に余裕があればポーリングを再送してポーリング周期内に所望のデータを再受信することが可能である。
しかし、上記第１の実施形態で説明した端末装置２０の構成では、再送のポーリングによって端末装置２０側で再現しているポーリング周期がリセットされるため（受信フレーム解析部２０７が行うポーリング周期計数部２０６のリセット処理）、以後の所定のポーリング周期に中央装置１０が送信したポーリングを受信できない場合には、この所定の周期に対するデータ送信を行うことができないという問題を残している。
そこで、本発明の第３の実施形態は、上記問題に対応させたものである。
【００８４】
図７は、本発明の第３の実施形態に係るデータ伝送方法を用いるシステムの構成を示すブロック図である。図８は、本発明の第３の実施形態に係るデータ伝送方法のシーケンスを示す図である。
【００８５】
図７に示すように、第３の実施形態に係るデータ伝送方法を用いるシステムは、上記第１の実施形態に係るデータ伝送方法を用いるシステムの構成と同様であるが、中央装置１０における送信フレーム構築部１０５の処理と、端末装置２０における受信フレーム解析部２０７の処理とがそれぞれ異なる。
なお、第３の実施形態に係るデータ伝送方法を用いるシステムにおけるその他の構成は、上記第１の実施形態に係るデータ伝送方法を用いるシステムの構成と同様であり、当該構成については同一の参照番号を付してその説明を省略する。
以下、本発明の第３の実施形態に係るデータ伝送方法およびシステム並びに装置を、図７および図８を用いて説明する。
【００８６】
中央装置１０の送信フレーム構築部１０５は、フレームを構築するにあたり、送信するポーリングが周期的なものか再送に関する非周期的なものかを表示する情報ビットを制御領域（Ｐｏｌｌ）に格納する。例えば、周期的な時には情報ビット（０）を、非周期的な時には情報ビット（１）を格納する。
これに対し、端末装置２０においては、受信フレーム解析部２０７が制御領域を解析する際、上記第１の実施形態で述べた処理に加え、格納されている情報ビットを判断する。そして、受信フレーム解析部２０７は、この判断の結果、ポーリングが周期的なものである（情報ビット（０）である）と判断した場合は、上記第１の実施形態で説明したように、ポーリング周期計数部２０６およびカウント部２０９をリセットするとともに、ベースバンド処理部２０２に対してフレームの送信を指示する。一方、受信フレーム解析部２０７は、上記判断の結果、ポーリングが非周期的なものである（情報ビット（１）である）と判断した場合には、ポーリング周期計数部２０６およびカウント部２０９をリセットせずに、ベースバンド処理部２０２に対してフレームの送信を指示する。すなわち、情報ビットが再送を表示している場合には、次に中央装置１０から周期的なポーリングを受信するまでローカルクロックでの周期の計数を継続させ、かつ、最も新しい周期的なポーリングからＮ周期のカウントも継続させるのである。
これにより、図８に示すように、非周期的なポーリングが送信された後に周期的なタイミングのポーリングが端末装置２０で受信されない場合でも、端末装置２０側で再現したポーリングタイミングにデータの送信を行うことができる。
【００８７】
以上のように、本発明の第３の実施形態に係るデータ伝送方法によれば、ポーリングの内容を表示する情報ビットを用いて、端末装置２０のポーリング周期計数部２０６およびカウント部２０９が、非周期的なポーリングを受信した場合であっても動作を継続するように制御する。
従って、無線の伝送容量に余裕がある場合には、ポーリングによるデータの受信がタイムアウトした場合に、ポーリングを再送しても端末装置２０におけるポーリング周期の再現に影響しない。
【００８８】
なお、上記第３の実施形態では、システム構成として上記第１の実施形態に示したように中央装置１０と端末装置２０とが直接的にデータ伝送する場合について述べたが、上記第２の実施形態で説明したように中央装置１０と端末装置２０との間に中継装置３０が介在していても同様の効果を奏することができる。
【００８９】
（第４の実施形態）
図９は、本発明の第４の実施形態に係るデータ伝送方法を用いるシステムの構成を示すブロック図である。図１０は、本発明の第４の実施形態に係るデータ伝送方法のシーケンスを示す図である。
【００９０】
図９に示すように、第４の実施形態に係るデータ伝送方法を用いるシステムは、上記第１の実施形態に係るデータ伝送方法を用いるシステムの中央装置１０と端末装置２０との間に、当該双方の装置を中継する第２の中継装置５０を挿入した構成である。
なお、第４の実施形態に係るデータ伝送方法を用いるシステムにおける中央装置１０および端末装置２０の構成は、上記第１の実施形態に係るデータ伝送方法を用いるシステムの構成と同様であり、当該構成については同一の参照番号を付してその説明を省略する。
以下、本発明の第４の実施形態に係るデータ伝送方法およびシステム並びに装置を、図９，図１０並びに図５を用いて説明する。
【００９１】
まず、図９を参照して、第２の中継装置５０は、中央装置１０とは第１の周波数の無線伝送路４０を介して相互に接続されており、端末装置２０とは第２の周波数の無線伝送路６０を介して相互に接続されている。ここで、無線伝送路４０と無線伝送路６０とは、周波数を異にして同時に使用しても相互に干渉しない無線多重アクセス方法の例として選ばれているが、同時に使用できることがその目的であるため、その手段は、周波数分割多重アクセス方法（ＦＤＭＡ）以外の方法、例えば、コード分割多重アクセス方法（ＣＤＭＡ）を用いても、本発明のデータ伝送方法は同様に効果を発揮する。
【００９２】
第２の中継装置５０は、送信ＲＦ部５０１，５０５と、受信ＲＦ部５０３，５０７と、ベースバンド処理部５０２，５０４，５０６，５０８と、送信フレーム構築部５０９，５１１と、受信フレーム解析部５１０，５１２と、アドレス変換部５１３と、ポーリング周期計数部５１４と、スイッチ部５１５と、カウント部５１６とを備える。
【００９３】
第２の中継装置５０において、無線伝送路４０を介して受信される下りバーストは、受信ＲＦ部５０７を経てベースバンド処理部５０８に入力される。ベースバンド処理部５０８は、入力する下りバーストに対し、ＰＲでビット同期を確立し、ＵＷでフレーム同期を確立し、それ以後に続くデータ（ＳＡ〜ＣＲＣ）を受信して受信フレーム解析部５１０へ転送する。
ここで、伝送に使用されるフレーム構成は、上記第２の実施形態に係るデータ伝送方法で用いるバーストの構成と同様のものでよく、第２の実施形態の図５で説明した構成と同様であるため、その説明を省略する。
【００９４】
受信フレーム解析部５１０は、ＤＡが自己宛であることを確認し、ＣＲＣによるエラーが検出されなければ、ＤＮＡをアドレス変換部５１３に転送し、フレーム全体を送信フレーム構築部５０９に転送する。アドレス変換部５１３は、ＤＮＡとＤＡとの対応を記憶しており、受信フレーム解析部５１０から入力されたＤＮＡに対応したＤＡを検索し、送信フレーム構築部５０９に転送する。ここで、本発明の第４の実施形態において中央装置１０は、第２の中継装置５０と端末装置２０の双方をＤＮＡに指定してポーリングを行う。この場合、ＤＮＡは、第２の中継装置５０と端末装置２０の双方を示すマルチキャストアドレスであり、アドレス変換部５１３は、ＤＮＡに対して、第２の中継装置５０のＤＡと、それとは異なる端末装置２０のＤＡとの双方に対応させて記憶している。そして、受信フレーム解析部５１０は、アドレス変換部５１３が変換したＤＡを解析し、その一つが自己宛であることを確認して制御領域（ｐｏｌｌ）解析するとともに、もう一方のＤＡを送信フレーム構築部５０９に転送するようアドレス変換部５１３に指示する。
【００９５】
送信フレーム構築部５０９は、受信フレーム解析部５１０から転送されたフレームのＤＡをアドレス変換部５１３から受けたＤＡに書き換え、ＳＡを第２の中継装置５０のＳＡに書き換えた後、ＳＡから制御領域（ｐｏｌｌ）までのＣＲＣを計算したフレームをベースバンド処理部５０２へ出力する。ここでのＤＡは、端末装置２０のＤＡである。ベースバンド処理部５０２は、送信フレーム構築部５０９が出力するフレームにＰＲを付加して下りバーストを再構築し、送信ＲＦ部５０１を経て端末装置２０へ第２の周波数である無線伝送路６０を介して送信する。一方、自己がポーリングされたことを認識した受信フレーム解析部５１０は、ポーリングを検出した結果の信号を、ベースバンド処理部５０６，ポーリング周期計数部５１４，カウント部５１６へ出力する。
【００９６】
次に、第２の中継装置５０が端末装置２０からデータ送信（上り方向）を受けたときの処理について説明する。
第２の中継装置５０において、端末装置２０から無線伝送路６０を介して受信される上りバーストは、受信ＲＦ部５０３を経てベースバンド処理部５０４に入力される。ベースバンド処理部５０４は、入力する上りバーストに対し、ＰＲでビット同期を確立し、ＵＷでフレーム同期を確立し、それ以後に続くデータ（ＳＡ〜ＣＲＣ）を受信して受信フレーム解析部５１２へ転送する。受信フレーム解析部５１２は、ＤＡが自己宛であることを確認し、ＣＲＣによるエラーが検出されなければ、ＤＡをアドレス変換部５１３に転送し、フレーム全体を送信フレーム構築部５１１に転送する。アドレス変換部５１３は、受信フレーム解析部５１２から入力されたＤＮＡに対応したＤＡを検索し、送信フレーム構築部５１１に転送する。送信フレーム構築部５１１は、アドレス変換部５１３から受けたＤＡを付加し、ＳＡを第２の中継装置５０のＳＡに書き換えた後、ＳＡから制御領域（ｐｏｌｌ）までのＣＲＣを計算したフレームをベースバンド処理部５０６へ出力する。
【００９７】
一方、ポーリング周期計数部５１４は、自己のローカルクロックを用いて中央装置１０がポーリングを行う周期を自ら計数する。そして、ポーリング周期計数部５１４は、ポーリング周期に予め定めたマージンα分を加えた周期を計数するごとに、スイッチ部５１５およびカウント部５１６へ信号を出力する。なお、ポーリング周期計数部５１４は、受信フレーム解析部５１０がポーリングを検出する（ポーリング検出信号を入力する）たびにリセットされる。
スイッチ部５１５は、一方の端子がポーリング周期計数部５１４の出力に接続され、他方の端子がベースバンド処理部５０６の入力に接続されており、スイッチの切換え（開閉）制御は、カウント部５１６の出力で行われる。スイッチ部５１５は、通常スイッチを閉じており、カウント部５１６からの制御があるとスイッチを開ける。
カウント部５１６は、ポーリング周期計数部５１４がポーリング周期を計数するごとに出力する信号に従って、カウントアップを行う。そして、カウント部５１６は、カウント値が予め定めたＮ（Ｎは、正の整数）の値に到達すると、すなわち、ポーリングのＮ周期となる期間を経過すると、スイッチ部５１５に対して接続を開けるように制御する。また、カウント部５１６は、カウント値がＮの値に到達すると、ポーリング周期計数部５１４における計数を停止させる。なお、カウント部５１６は、受信フレーム解析部５１０がポーリングを検出する（ポーリング検出信号を入力する）たびにリセットされる。
【００９８】
従って、ベースバンド処理部５０６は、受信フレーム解析部５１０またはポーリング周期計数部５１４のいずれかからの制御に基づいて、送信フレーム構築部５１１が出力するフレームにＰＲを付加して上りバーストを構築し、送信ＲＦ部５０５を経て中央装置１０へ無線伝送路４０を介して送信する。このようにして、第２の中継装置５０は、一定の周期で端末装置２０から受信したデータを中継する。
【００９９】
次に、図１０を参照して、上記構成のシステムにおける第４の実施形態に係るデータ伝送方法を説明する。なお、図１０中の×印は、ポーリングのフレームに伝送エラーが発生したことを表している。
【０１００】
中央装置１０からポーリングが行われる場合、まず中央装置１０が第１の無線周波数である「周波数１」でＤＡが第２の中継装置５０でＤＮＡが第２の中継装置５０および端末装置２０のポーリング送信を行う。第２の中継装置５０の受信フレーム解析部５１０は、ポーリング検出信号をベースバンド処理部５０６，ポーリング周期計数部５１４等へ出力する。従って、この場合には、ポーリング周期計数部５１４がリセットされ、ベースバンド処理部５０６におけるフレーム送信の制御は、受信フレーム解析部５１０が、ポーリング検出信号を用いて行うことになる。ただし、第２の中継装置５０は未だに端末装置２０から受信したデータを保持していないため、ベースバンド処理部５０６はデータを送信しない。一方、第２の中継装置５０は、受信したポーリングのフレームのＤＮＡが端末装置２０へのフレームでもあることから、第２の無線周波数である「周波数２」で端末装置２０にポーリングのフレームを中継する。端末装置２０の受信フレーム解析部２０７は、ポーリング検出信号をベースバンド処理部２０２、ポーリング周期計数部２０６等へ出力する。従って、この場合には、ポーリング周期計数部２０６がリセットされ、ベースバンド処理部２０２におけるフレーム送信の制御は、受信フレーム解析部２０７が、ポーリング検出信号を用いて行うことになる。これにより、端末装置２０は、データ１（Ｆ０）からデータ１（Ｆ１５）を送信する。第２の中継装置５０は、このデータを受信してアドレスを変換した送信フレームを構築し、中央装置１０からの第２周期目のポーリングに対して「周波数１」で中央装置１０宛に送信する。中央装置１０からの第２周期目のポーリングもＤＮＡは、第２の中継装置５０と端末装置２０との双方を示しているため、第２の中継装置５０は、第１周期目と同様にポーリングのフレームを端末装置２０へ「周波数２」で中継送信する。端末装置２０は、第２周期目のポーリングに対してデータ２（Ｆ０）からデータ２（Ｆ１５）を「周波数２」で送信する。ここで、データ１の送信は「周波数１」で送信され、ポーリングの中継送信並びに端末装置２０のデータ２の送信は「周波数２」で送信されるため、これらは重ねて送信される。
【０１０１】
一方、伝送エラー等の原因で中央装置１０からポーリングが行われなかった場合、第２の中継装置５０の受信フレーム解析部５１０は、ポーリングを検出することができず、ポーリング検出信号を出力しない。従って、この場合には、ポーリング周期計数部５１４はリセットされることなく、ポーリング周期の計数を完了し、その信号をスイッチ部５１５を介してベースバンド処理部５０６へ出力する。よって、ベースバンド処理部５０６におけるフレーム送信の制御は、ポーリング周期計数部５１４が、周期計数の信号を用いて行うことになる。
これにより、第２の中継装置５０は、第２周期目で受信したデータ２（Ｆ０）からデータ２（Ｆ１５）を「周波数１」で送信する。この場合、さらに第２の中継装置５０から端末装置２０へも同様にポーリングが行われないことになるが、端末装置２０も上記第１の実施形態または第２の実施形態で説明した動作により、データ３（Ｆ０）からデータ３（Ｆ１５）を「周波数２」で送信する。
【０１０２】
以上のように、本発明の第４の実施形態に係るデータ伝送方法によれば、第２の中継装置５０並びに端末装置２０において、中央装置１０が行うポーリングの周期を計数することで自らデータ伝送すべき周期を把握している。
これにより、伝送エラーによりポーリングが受信されない場合においても、所定の時間以内に定期的な（Ｎ周期目まで）データの伝送が確実に可能となり、ポーリングの再送が不要となる。また、端末装置２０から第２の中継装置５０へのデータの送信と、第２の中継装置５０から中央装置１０へのデータの送信とを、重ねて行うことが可能であり、特に音声や映像等の時間に厳しいアイソクロナスなデータの伝送を効率良く行うことが可能となる。
【０１０３】
なお、上記第４の実施形態では、図５において中央装置１０と第２の中継装置５０との間で送受信するバーストの構成として、ＳＮＡおよびＤＮＡの２つのネットワークアドレスを格納するように記載した。しかし、本発明に用いることができるバーストはその構成に限定されるものではなく、中央装置１０と端末装置２０とのルーティングができるものであれば、ネットワークアドレスの対を示す１つのコネクションＩＤを格納するバーストを用いても構わない。この場合、１つのコネクションＩＤが、ポイント−マルチポイントのコネクションを示すことでもよい。
【０１０４】
また、上記第４の実施形態では、第２の中継装置５０が１台挿入されている場合を記載しているが、無線周波数をさらに増やして２台以上の第２の中継装置５０を挿入しても構わないし、第２の中継装置５０と中央装置１０との間、または第２の中継装置５０と端末装置２０との間、あるいはその両方に、上記第２の実施形態で説明した中継装置３０を１台以上挿入するようにしても構わない。その構成は、必要な伝送帯域と無線の周波数帯域とに応じて使い分けることが可能である。
【図面の簡単な説明】
【図１】本発明の第１の実施形態に係るデータ伝送方法を用いるシステムの構成を示すブロック図である。
【図２】本発明の第１の実施形態に係るデータ伝送方法で用いるバーストの構成の一例を示す図である。
【図３】本発明の第１の実施形態に係るデータ伝送方法のシーケンスを示す図である。
【図４】本発明の第２の実施形態に係るデータ伝送方法を用いるシステムの構成を示すブロック図である。
【図５】本発明の第２の実施形態に係るデータ伝送方法で用いるバーストの構成の一例を示す図である。
【図６】本発明の第２の実施形態に係るデータ伝送方法のシーケンスを示す図である。
【図７】本発明の第３の実施形態に係るデータ伝送方法を用いるシステムの構成を示すブロック図である。
【図８】本発明の第３の実施形態に係るデータ伝送方法のシーケンスを示す図である。
【図９】本発明の第４の実施形態に係るデータ伝送方法を用いるシステムの構成を示すブロック図である。
【図１０】本発明の第４の実施形態に係るデータ伝送方法のシーケンスを示す図である。
【図１１】従来のミリ波無線ＡＴＭ  ＬＡＮの構成を示す図である。
【図１２】図９の任意のＳＴＡがＡＰを介して他のＳＴＡにアイソクロナスデータを伝送する際のシーケンスの一例を示す図である。
【符号の説明】
１０…中央装置
２０…端末装置
３０，５０…中継装置
４０，６０…無線伝送路
１０１，２０１，３０１，３０５，５０１，５０５…送信ＲＦ部
１０２，１０４，２０２，２０４，３０２，３０４，３０６，３０８，５０２，５０４，５０６，５０８…ベースバンド処理部
１０３，２０３，３０３，３０７，５０３，５０７…受信ＲＦ部
１０５，２０５，３０９，３１１，５０９，５１１…送信フレーム構築部
１０６，２０６，５１４…ポーリング周期計数部
１０７，２０７，３１０，３１２，５１０，５１２…受信フレーム解析部
２０８，５１５…スイッチ部
２０９，５１６…カウント部
３１３…アドレス変換部
【図１】
0004086385.tif 000002
【図２】
0004086385.tif 000003
【図３】
0004086385.tif 000004
【図４】
0004086385.tif 000005
【図５】
0004086385.tif 000006
【図６】
0004086385.tif 000007
【図７】
0004086385.tif 000008
【図８】
0004086385.tif 000009
【図９】
0004086385.tif 000010
【図１０】
0004086385.tif 000011
【図１１】
0004086385.tif 000012
【図１２】
0004086385.tif 000013